(57)【要約】  リソースユニットのマッピング方法を提供する。該方法は、物理リソースユニット群からＮ１個の連続する物理リソースユニットを単位とする第１の物理リソースユニット集合を分割し、残りの物理リソースユニットを第２の物理リソースユニット集合に割り振るステップと、第２の物理リソースユニット集合における物理リソースユニットについて、Ｎ２個の連続する物理リソースユニットを単位とし置換を行うステップと、第１の物理リソースユニット集合における物理リソースユニットを、Ｎ１個の連続する物理リソースユニットを単位とし、各周波数パーティションに割り当て、第２の物理リソースユニット集合における置換された物理リソースユニットを、１物理リソースユニットを単位に、各周波数パーティションに割り当てるステップと、を含む。本発明によると、集中式マッピング及び分散式マッピングに部分周波数の再利用技術を結合した二段階のサブキャリアマッピング方式での外部マッピングを実現することができる。
2012507890.tif 000002
【特許請求の範囲】
【請求項１】
物理リソースユニット群からＮ１個の連続する物理リソースユニットを単位とする第１の物理リソースユニット集合を分割し、残りの物理リソースユニットを第２の物理リソースユニット集合に割り振るステップと、
第２の物理リソースユニット集合における物理リソースユニットについて、Ｎ２個の連続する物理リソースユニットを単位とし置換を行うステップと、
第１の物理リソースユニット集合における物理リソースユニットを、Ｎ１個の連続する物理リソースユニットを単位とし、各周波数パーティションに割り当て、第２の物理リソースユニット集合における置換された物理リソースユニットを、１物理リソースユニットを単位に、各周波数パーティションに割り当てるステップと、を含むことを特徴とするリソースユニットのマッピング方法。
【請求項２】
前記分割は、基地局によりシステム構成情報に基づいて行うことを特徴とする請求項１に記載のリソースユニットのマッピング方法。
【請求項３】
前記システム構成情報が、周波数パーティションの数と、各周波数パーティションに含まれるＮ１個の連続する物理リソースユニットを単位とするサブバンド（Ｓｕｂ−ｂａｎｄ）数を含むことを特徴とする請求項２に記載のリソースユニットのマッピング方法。
【請求項４】
前記システム構成情報が、さらに、システムの帯域幅と、周波数パーティションに含まれる物理リソースユニット数を含むことを特徴とする請求項３に記載のリソースユニットのマッピング方法。
【請求項５】
前記Ｎ１個の連続する物理リソースユニットを単位とする第１の物理リソースユニット集合を分割するステップが、具体的には、
システム構成情報に基づいて、物理リソースユニット群から分割されるＮ１個の連続する物理リソースユニットを単位とするサブバンド数Ｌを確定し、
システムの帯域幅における物理リソースユニット群を、Ｎ１個の連続する物理リソースユニットを単位とし、Ｍ個のＮ１個の連続する物理リソースユニットを単位とするサブバンドに分割し、
Ｍ個のサブバンドから均一にＮ１個の連続する物理リソースユニットを単位とするＬ個のサブバンドを抽出し、第１の物理リソースユニット集合に割り振ることを含むことを特徴とする請求項２、３、および４の何れか１項に記載のリソースユニットのマッピング方法。
【請求項６】
前記Ｎ１個の連続する物理リソースユニットを単位とし、第１の物理リソースユニット集合を分割するステップが、具体的には、
各周波数パーティションに含まれる物理リソースユニット数に基づいて、物理リソースユニット群における物理リソースユニットを、周波数パーティションの数と同等の数に分割し、各周波数パーティションに対応する物理リソースユニット部分において、開始ユニットから順に（Ｎ１×ｐｉ）個の連続する物理リソースユニットを抽出し、第１の物理リソースユニット集合に割り振ることを含み、ここで、ｐｉは、ｉ番目の周波数パーティションにおけるＮ１個の連続する物理リソースユニットを単位とするサブバンド数を表すことを特徴とする請求項２、３、および４の何れか１項に記載のリソースユニットのマッピング方法。
【請求項７】
前記Ｎ２の値が、システムの帯域幅によって異なることを特徴とする請求項１に記載のリソースユニットのマッピング方法。
【請求項８】
前記Ｎ２の値が、１又は２であることを特徴とする請求項７に記載のリソースユニットのマッピング方法。
【請求項９】
前記第１の物理リソースユニット集合における物理リソースユニットを各周波数パーティションに割り当てることが、
システム構成情報における各周波数パーティションに含まれるＮ１個の連続する物理リソースユニットを単位とするサブバンド数に基づいて、第１の物理リソースユニット集合から順に各周波数パーティションにＮ１個の連続する物理リソースユニットを単位とする物理リソースユニットを割り当てることであることを特徴とする請求項２に記載のリソースユニットのマッピング方法。
【請求項１０】
システム構成情報における各周波数パーティションに含まれる物理リソースユニット数の情報及び各周波数パーティションに含まれるＮ１個の連続する物理リソースユニットを単位とするサブバンド数に基づいて、第２の物理リソースユニット集合から各周波数パーティションに割り当てるべき物理リソースユニット数を確定し、第２の物理リソースユニット集合から順に、各周波数パーティションに物理リソースユニットを割り当てるステップをさらに含むことを特徴とする請求項９に記載のリソースユニットのマッピング方法。
【発明の詳細な説明】
【技術分野】
【０００１】
本発明は、無線通信におけるリソースマッピング技術に関し、具体的には、ブロードバンド無線通信技術におけるリソースユニットを周波数パーティションにマッピングする方法に関する。
【背景技術】
【０００２】
ブロードバンド無線通信技術の発展に伴い、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、以下、ＷｉＭＡＸと略称）と、ウルトラモバイル・ブロードバンド（Ｕｌｔｒａ  Ｍｏｂｉｌｅ  Ｂｒｏａｄｂａｎｄ、以下、ＵＭＢと略称）及び３ＧＰＰ長期進化（Ｌｏｎｇ  Ｔｅｒｍ  Ｅｖｏｌｕｔｉｏｎ、以下、ＬＴＥと略称）などの次世代のブロードバンドの移動通信システムは、下りリンクにおいて直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下ＯＦＤＭＡと略称）の多重アクセス方式を用いている。与えられたシステム帯域幅において、周波数ドメインの角度から見ると、異なるユーザが所定の量の直交サブキャリアリソースを占めて多重アクセスを実現する。
【０００３】
周波数ドメインにおけるサブキャリアのマッピング方式は、集中式（ｌｏｃａｌｉｚｅｄ）マッピング方式と分散式（ｄｉｓｔｒｉｂｕｔｅｄ）マッピング方式に分けられ、最初のＯＦＤＭＡシステムにおいて、通常、同一のＯＦＤＭシンボルにおける周波数ドメイン上の全てのサブキャリアは集中式マッピング方式又は分散式マッピング方式の中の一つを利用する。その中、集中式のサブキャリアマッピング方式を介してユーザに割り当てられるリソースブロックにおけるサブキャリアリソースは連続するものであり、分散式のサブキャリアマッピング方式によると、まずシリアル（serial）を置換することで、周波数範囲内の全てのサブキャリアを置換しなければならないため、ユーザに割り当てられたリソースブロックにおけるサブキャリアリソースは離散（ｄｉｓｃｒｅｔｅ）したものである。その機能から見ると、集中式マッピング方式は、周波数の選択的スケジューリングを支援することができ、分散式マッピング方式によると、周波数ダイバーシティが生じる。従って、次世代ブロードバンド無線アクセスシステムにおいて、ユーザによる異なるサービス品質（Ｑｕａｌｉｔｙ  ｏｆ  Ｓｅｒｖｉｃｅ、以下ＱｏＳと略称）要求を満たすため、同一のＯＦＤＭシンボルにおいて、周波数ドメインにおけるサブキャリアは、集中式マッピング方式と分散式マッピング方式を混合したリソースマッピング方式を利用することになる。
【０００４】
ＯＦＤＭＡ多重アクセスシステムの進化中において、セル間の同一の周波数の干渉を低減するため、部分周波数の再利用技術を利用し、異なる周波数パーティションが所定のサブキャリアリソースを占める。部分周波数の再利用技術を利用したＯＦＤＭＡシステムの下りリンクにおいて、集中式マッピング方式と分散式マッピング方式及び部分周波数の再利用技術を結合することは、次世代ブロードバンド無線通信技術の発展方向である。全周波数帯域のサブキャリアに基づく外部マッピング及び周波数パーティション内のサブキャリアに基づく内部マッピングの二段階サブキャリアマッピング方式を用いると、集中式マッピング及び分散式マッピングのメリットを同時に発揮でき、二種類のマッピング方式と部分周波数の再利用技術を結合させることができる。その中、外部マッピングはシステム全体の周波数帯域のサブキャリアリソースを対象に行い、対応するキャリアリソースを各周波数パーティションにマッピングする。内部マッピングは各周波数パーティション内のキャリアリソースに基づいて行う。しかし、現在、二段階のサブキャリアマッピング方式において、システム構成に基づいて、柔軟にサブキャリアリソースを各周波数パーティションに割り振ることができる外部マッピング方式が提出されていない。
【発明の概要】
【発明が解決しようとする課題】
【０００５】
本発明は、関連技術に存在する二段階のサブキャリアマッピング方式において外部マッピングを柔軟に実現できる外部マッピング方式に欠けている課題に鑑み、当該課題における少なくとも一つを実現できるリソースユニットのマッピング方法を提供することを目的とする。
【課題を解決するための手段】
【０００６】
上記の目的を実現するため、本発明の一方面によると、物理リソースユニット群からＮ１個の連続する物理リソースユニットを単位とする第１の物理リソースユニット集合を分割し、残りの物理リソースユニットを第２の物理リソースユニット集合に割り振るステップと、第２の物理リソースユニット集合における物理リソースユニットについて、Ｎ２個の連続する物理リソースユニットを単位とし置換を行うステップと、第１の物理リソースユニット集合における物理リソースユニットを、Ｎ１個の連続する物理リソースユニットを単位とし、各周波数パーティションに割り当て、第２の物理リソースユニット集合における置換された物理リソースユニットを、１物理リソースユニットを単位に、各周波数パーティションに割り当てるステップと、を含むリソースユニットマッピング方法を提供する。
【０００７】
上記分割は、基地局によりシステム構成情報に基づいて行うことが好ましい。
【０００８】
システム構成情報が、周波数パーティションの数と、各周波数パーティションに含まれるＮ１個の連続する物理リソースユニットを単位とするサブバンド（Ｓｕｂ−ｂａｎｄ）数を含むことが好ましい。
【０００９】
システム構成情報が、さらに、システムの帯域幅と、周波数パーティションに含まれる物理リソースユニット数を含むことが好ましい。
【００１０】
Ｎ１個の連続する物理リソースユニットを単位とする第１の物理リソースユニット集合を分割するステップが、具体的には、システム構成情報に基づいて、物理リソースユニット群から分割されるＮ１個の連続する物理リソースユニットを単位とするサブバンド数Ｌを確定し、システムの帯域幅における物理リソースユニット群を、Ｎ１個の連続する物理リソースユニットを単位とし、Ｍ個のＮ１個の連続する物理リソースユニットを単位とするサブバンドに分割し、Ｍ個のサブバンドから均一にＮ１個の連続する物理リソースユニットを単位とするＬ個のサブバンドを抽出し、第１の物理リソースユニット集合に割り振ることを含むことが好ましい。
【００１１】
Ｎ１個の連続する物理リソースユニットを単位とし、第１の物理リソースユニット集合を分割するステップが、具体的には、各周波数パーティションに含まれる物理リソースユニット数に基づいて、物理リソースユニット群における物理リソースユニットを、周波数パーティションの数と同等の数に分割し、各周波数パーティションに対応する物理リソースユニット部分において、開始ユニットから順に（Ｎ１×ｐｉ）個の連続する物理リソースユニットを抽出し、第１の物理リソースユニット集合に割り振ることを含むことが好ましい。ここで、ｐｉは、ｉ番目の周波数パーティションにおけるＮ１個の連続する物理リソースユニットを単位とするサブバンド数を表す。
【００１２】
Ｎ２の値が、システムの帯域幅によって異なることが好ましい。
【００１３】
Ｎ２の値が、１又は２であることが好ましい。
【００１４】
第１の物理リソースユニット集合における物理リソースユニットを各周波数パーティションに割り当てることが、システム構成情報における各周波数パーティションに含まれるＮ１個の連続する物理リソースユニットを単位とするサブバンド数に基づいて、第１の物理リソースユニット集合から順に各周波数パーティションにＮ１個の連続する物理リソースユニットを単位とする物理リソースユニットを割り当てることであることが好ましい。
【００１５】
上記の方法が、システム構成情報における各周波数パーティションに含まれる物理リソースユニット数の情報及び各周波数パーティションに含まれるＮ１個の連続する物理リソースユニットを単位とするサブバンド数に基づいて、第２の物理リソースユニット集合から各周波数パーティションに割り当てるべき物理リソースユニット数を確定し、第２の物理リソースユニット集合から順に、各周波数パーティションに物理リソースユニットを割り当てるステップをさらに含むことが好ましい。
【発明の効果】
【００１６】
本発明により提供されるリソースユニットのマッピング方法によると、物理リソースユニット群から、Ｎ１個の連続する物理リソースユニットを単位する第１の物理リソースユニット集合及びＮ２個の連続する物理リソースユニットを単位とする第２の物理リソースユニット集合を分割し、第２の物理リソースユニット集合におけるリソースを置換した後、第１の物理リソースユニット集合における物理リソースユニットを、Ｎ１個の連続する物理リソースユニットを単位とし、順に、各周波数パーティションに割り当て、第２の物理リソースユニットを、１物理リソースユニットを単位とし、順に各周波数パーティションに割り当てる。従って、集中式マッピング及び分散式マッピングに部分周波数の再利用技術を結合した二段階のサブキャリアマッピング方式での外部マッピングを実現することができ、キャリアリソースの周波数の選択的スケジューリングのゲイン（gain）と周波数ダイバーシティのゲインを柔軟に調節することができる。
【００１７】
一部のサービス形態のスケジューリングは分散式のリソースにて一層高い周波数ダイバーシティのゲインを得ることができ、大量にフィードバックしなければならないサービスのスケジューリングは集中式のリソースにて周波数の選択的スケジューリングのゲインを得ることができるが、本発明の方法によると、二種ゲイン間において、リソースを柔軟にスケジューリングでき、ユーザの異なるサービスに対する需要を最大限に保証できるため、サービス形態の異なるユーザがさらに高いスループットを得ることができ、次世代のブロードバンド移動通信システムの需要を満たすことができる。
【００１８】
本発明によると、システム構成情報に基づいて、周波数選択性及び周波数非選択性に適用するユーザのデータ伝送要求を調節するリソースユニットを異なる周波数パーティションに割り当てることにより一層高い柔軟性を具備した新規のキャリアリソースマッピング方式を提供する。
【００１９】
本発明の他の特徴及びメリットは明細書において説明し、明細書からさらに明確になる、又は本発明を実施することによって把握できる。本発明の目的及び他のメリットは、明細書、特許請求の範囲、図面に特別に指摘された構造によって実現することができる。
【００２０】
ここで説明する図面は本発明を理解させるためのものであり、本申請の一部を構成し、本発明における実施例と共に本発明を解釈（説明）するものであり、本発明を不当に限定するものではない。
【図面の簡単な説明】
【００２１】
【図１】は、本発明のリソースマッピング方法に利用されるフレームの構造を示す図である。
【図２】は、本発明のリソースのマッピングにおける物理リソースユニット（ＰＲＵ）の構成を示す図である。
【図３】は、本発明の実施例に係わるリソースユニットのマッピング方法のプロセスを示すフローチャートである。
【図４】は、本発明に係わる物理リソースユニット群からＮ１個の連続する物理リソースユニットを単位とする物理リソースユニット集合１を分割するプロセスを示す図である。
【図５】は、本発明に係わる物理リソースユニット群における物理リソースユニットを各周波数パーティションにマッピングするプロセスを示す図である。
【図６】は、本発明のサブキャリアの直接マッピングにおける物理リソースユニット群における物理リソースユニットを各周波数パーティションにマッピングするプロセスを示す図である。
【発明を実施するための形態】
【００２２】
本発明に提供される技術思想によると、物理リソースユニット群から、Ｎ１個の連続する物理リソースユニットを単位とする第１の物理リソースユニット集合及びＮ２個の連続する物理リソースユニットを単位とする第２の物理リソースユニット集合を分割し、第２の物理リソースユニット集合におけるリソースに置換を行った後、第１の物理リソースユニット集合における物理リソースユニットを、Ｎ１個の連続する物理リソースユニットを単位とし、順に各周波数パーティションに割り当て、第２の物理リソースユニット集合における物理リソースユニットを、１物理リソースユニットを単位とし、順に各周波数パーティションに割り当てる。
【００２３】
その中、システム構成情報に基づいて、第１の物理リソースユニット集合と第２の物理リソースユニット集合とを分けることができる。システム構成情報に、周波数パーティションの数、各周波数パーティションに含まれるＮ１個の連続する物理リソースユニットを単位とするサブバンド（Ｓｕｂ−ｂａｎｄ）の数が含まれる。上記サブバンドとは、連続する物理リソースユニットの集合を示す。システム構成情報に、システムの帯域幅と、各周波数パーティションに含まれる物理リソースユニットの数がさらに含まれる。
【００２４】
図１は、本発明のリソースマッピング方法に利用されるフレームの構造を示す図である。図１に示すように、１フレームは、４個の単位フレーム１０２から構成された複数のスーパーフレーム１０１を複数個含み、スーパーフレーム制御情報１０３はスーパーフレームのヘッド部分の複数個のシンボルに位置される。各単位フレーム１０２は、８個のサブフレームユニット１０４から構成され、各サブフレームユニット１０４は下りサブフレームユニットと上りサブフレームユニットを含み、システムの具体的な状況に基づいて配置することができる。各サブフレームユニット１０４は、６個のＯＦＤＭシンボル１０５から構成される。
【００２５】
図２は、本発明のリソースマッピング方法に係わる物理リソースユニットの構成を示す図である。物理リソースユニットは、１８個の直交サブキャリアとＮｓｙｍ個のＯＦＤＭシンボルから構成され、その中、Ｎｓｙｍは、１サブフレームに含まれるＯＦＤＭシンボルの数を示し、サブフレームの種類が異なることによってＮｓｙｍは５又は６又は７であることができる。図２において、縦はサブキャリアの数を示し、横はＯＦＤＭシンボルの数を示し、図２に示す物理リソースユニット２０１は、１８個の直交サブキャリア２０２と、６個のＯＦＤＭシンボル２０３から構成される。
【００２６】
方法実施例
図３は、本発明の実施例に係わるリソースユニットのマッピング方法のプロセスを示すフローチャートである。当該方法は、以下のステップ３０１〜３０３を含む。
【００２７】
基地局は、システム構成情報に基づいて、物理リソースユニット群から、Ｎ１個の連続する物理リソースユニットを単位とする物理リソースユニット集合１を分割し、残りの物理リソースユニットを順に物理リソースユニット集合２に割り振る（ステップ３０１）。
【００２８】
ここで、システム構成情報は、周波数パーティションの数と、各周波数パーティションに含まれるＮ１個の連続する物理リソースユニットを単位とするサブバンドの数を含む。上記システム構成情報は、さらに、システムの帯域幅と、周波数パーティションに含まれる物理リソースユニットの数を含む。
【００２９】
ここで、システム構成情報は、基地局のサービス範囲内の各端末に放送しなければならない。
【００３０】
物理リソースユニット群からＮ１個の連続する物理リソースユニットを単位とする物理リソースユニット集合１を分割する方法は、Ｎ１個の連続する物理リソースユニットを単位とするサブバンドで直接マッピングしない場合に適用する第１種の方法と、Ｎ１個の連続する物理リソースユニットを単位とするサブバンドで直接マッピングする場合に適用する第２種の方法がある。
【００３１】
具体的には、上記第１種の方法のプロセスは以下の通りである。
【００３２】
まず、システム構成情報に基づいて、物理リソースユニット群から分割するＮ１個の連続する物理リソースユニットを単位とするサブバンド数Ｌを確定し、ここで、Ｌは、システム構成情報における各周波数パーティションに含まれるＮ１個の連続する物理リソースユニットを単位とするサブバンド数の合計である。
【００３３】
次に、システムの帯域幅における物理リソースユニット群を、Ｎ１個の連続する物理リソースユニットを単位とし、Ｍ個のＮ１個の連続する物理リソースユニットを単位とするサブバンドＰ0、Ｐ1、…、ＰM-1に分割し、
【００３４】
【数１】
2012507890.tif 000003
【００３５】
、ここで、Ｎは、物理リソースユニット群におけるサブバンド総数を示し、
【００３６】
【数２】
2012507890.tif 000004
【００３７】
は、下から整数値を取ることを示し、Ｍ個のサブバンドＰ0、Ｐ1、…、ＰM-1から均一にＮ１個の連続する物理リソースユニットを単位とするＬ個のサブバンドＰ0、ＰT、…、ＰT*(L-1)を抽出し物理リソースユニット集合１に割り振り、ここで、抽出間隔は
【００３８】
【数３】
2012507890.tif 000005
【００３９】
である。
【００４０】
上記の第２種の方法のプロセスは以下の通りである。
【００４１】
各周波数パーティションに含まれる物理リソースユニットの数ｎｉと、各周波数パーティションに含まれるＮ１個の連続する物理リソースユニットを単位とするサブバンドの数ｐｉに基づいて、物理リソースユニット群から、Ｎ１個の連続する物理リソースユニットを単位とする物理リソースユニット集合１を分割し、上記のＮ１個の連続する物理リソースユニットを単位とするサブバンドはサブキャリアの直接マッピングに用いられる。ここで、ｎｉはｉ番目の周波数パーティションの物理リソースユニットの数を示し、ｐｉはｉ番目の周波数パーティションにおけるＮ１個の連続する物理リソースユニットを単位とするサブバンドの数を示す。
【００４２】
つまり、各周波数パーティションに含まれる物理リソースユニットの数に基づいて、物理リソースユニット群における物理リソースユニットを周波数パーティションの数と同等の幾つかの部分に分割し、各周波数パーティションに対応する物理リソースユニット部分において、開始ユニットから順に（Ｎ１×ｐｉ）個の物理リソースユニットを抽出し、物理リソースユニット集合１に割り振る。
【００４３】
物理リソースユニット集合２における物理リソースユニットに対し、Ｎ２個の連続する物理リソースユニットを単位とし、置換（ｐｅｒｍｕｔａｔｉｏｎ）を行う（ステップ３０２）。
【００４４】
その中、Ｎ２はＮ１より小さく、システムの帯域幅が異なることによってＮ２の値が異なる。具体的には、システムの帯域幅が異なると、Ｎ２の値は１又は２を取ることが可能である。システムの帯域幅が広いと２を取り、システムの帯域幅が狭いと１を取る。例えば、システムの帯域幅が５Ｍ、１０Ｍであると、Ｎ２は１を取り、システムの帯域幅が２０Ｍであると、Ｎ２は２を取る。
【００４５】
システム構成情報に基づいて、物理リソースユニット集合１における物理リソースユニットを、Ｎ１個の連続する物理リソースユニットを単位とし、順に各周波数パーティションに割り当て、物理リソースユニット集合２における置換された物理リソースユニットを、１物理リソースユニットを単位とし順に各周波数パーティションに割り当てる。
【００４６】
ここで、システム構成情報における各周波数パーティションに含まれるＮ１個の連続する物理リソースユニットを単位とするサブバンド数に基づいて、物理リソースユニット集合１から、順に各周波数パーティションに、Ｎ１個の連続する物理リソースユニットを単位とする物理リソースユニットを割り当てる。
【００４７】
また、システム構成情報における各周波数パーティションに含まれる物理リソースユニット数の情報と各周波数パーティションに含まれるＮ１個の連続する物理リソースユニットを単位とするサブバンド数に基づいて、物理リソースユニット集合２から各周波数パーティションに割り当てるべき物理リソースユニット数を確定し、物理リソースユニット集合２から順に各周波数パーティションに物理リソースユニットを割り当てる。
【００４８】
以下、ブロードバンドセルラー無線通信システムを例とし、図面及び具体的な実施例を結合し、本発明の上記リソースユニットのマッピング方法をさらに詳しく説明する。
【００４９】
図４は、本発明に係わる物理リソースユニット群からＮ１個の連続する物理リソースユニットを単位とする物理リソースユニット集合１を分割するプロセスを示す図である。図４に示すように、上記のリソースユニットの分割方法は以下の通りである。
【００５０】
システム構成情報に基づいて、物理リソースユニット群から分割する、Ｎ１個の連続する物理リソースユニットを単位とするサブバンド数Ｌを確定し、ここで、Ｌはシステム構成情報における各周波数パーティションに含まれるＮ１個の連続する物理リソースユニットを単位とするサブバンド数の合計値であり、システムの帯域幅における物理リソースユニット群を、Ｎ１個の連続する物理リソースユニットを単位とし、Ｍ個のＮ１個の連続する物理リソースユニットを単位とするサブバンドＰ0、Ｐ1、…、ＰM-1に分割し、
【００５１】
【数４】
2012507890.tif 000006
【００５２】
であり、
【００５３】
【数５】
2012507890.tif 000007
【００５４】
は、下から整数値を取ることを表し、Ｍ個のサブバンドＰ0、Ｐ1、…、ＰM-1から均一に、Ｎ１個の連続する物理リソースユニットを単位とするＬ個のサブバンドＰ0、ＰT、…、ＰT*(L-1)を抽出し、物理リソースユニット集合１に割り振る。
【００５５】
図４に示すように、システムの帯域幅が５ＭＨｚ、Ｎ１は４であると仮説すると、ＯＦＤＭＡ多重アクセス方式のブロードバンド無線アクセスシステムにおいて、５Ｍの帯域幅が４３２個の利用可能なサブキャリアを含み、図１に示すフレーム構造によると、サブフレームユニット１０４は６個のＯＦＤＭシンボルから構成され、５Ｍの帯域幅のサブフレームは図２に示す物理リソースユニット２０１に分割され、２４個の物理リソースユニット４０１に分割される。
【００５６】
システムが、第１の周波数パーティション、第２の周波数パーティション、第３の周波数パーティションの三つの周波数パーティションから構成され、第１の周波数パーティションと第２の周波数パーティションがそれぞれ、４個の物理リソースユニットを単位とするサブバンドを一つ含むと仮説すると、物理リソースユニット群から分割される、４個の物理リソースユニットを単位とするサブバンド数は２である。具体的には、まず、２４個の物理リソースユニット４０１を、４個の物理リソースユニットを単位とし、Ｍ＝６個のサブバンド４０２に分割し、それぞれＰ0、Ｐ1、Ｐ2、Ｐ3、Ｐ4とＰ5で表す。Ｔ＝３個のサブバンドを間隔に、均一に４個の物理リソースユニットを単位とするサブバンドＰ0とＰ3の二つのサブバンドを抽出し、物理リソースユニット集合４０３（即ち、物理リソースユニット集合１）に割り振ると、物理リソースユニット集合４０３に割り振られた物理リソースユニットは、それぞれ１、２、３、４、１２、１３、１４、１５である。
【００５７】
図５は、本発明に係わる物理リソースユニット群における物理リソースユニットを各周波数パーティションにマッピングするプロセスを示す図である。図５において、帯域幅が５Ｍであるものを例とし、５Ｍの帯域幅に２４個の物理リソースユニット５０１が含まれ、システムは第１の周波数パーティション５０５と、第２の周波数パーティション５０６と、第３の周波数パーティション５０７から構成され、第１の周波数パーティション５０５と第２の周波数パーティション５０６はそれぞれ４個の物理リソースユニットを単位とするサブバンドを一つ含み、第１の周波数パーティション５０５は１０個の物理リソースユニット５０１を、第２の周波数パーティション５０６は、８個の物理リソースユニット５０１を、第３の周波数パーティション５０７は６個の物理リソースユニット５０１を含み、基地局によりシステム構成情報を各端末に放送する。上記システム構成情報の構成は表１に示す通りである。
【００５８】
【表１】
2012507890.tif 000008
【００５９】
外部マッピングを行う場合、２４個の物理リソースユニットを、４個の物理リソースユニットを単位とし、Ｍ＝６個のサブバンドに分割し、それぞれ、Ｐ0、Ｐ1、Ｐ2、Ｐ3、Ｐ4とＰ5で表し、Ｔ＝３個のサブバンドを間隔に、均一に二つの４個の物理リソースユニットを単位とするサブバンドＰ0とＰ3を抽出し、物理リソースユニット集合５０２（即ち、物理リソースユニット集合１）に割り振り、残りの物理リソースユニットは順に物理リソースユニット集合５０３（即ち、物理リソースユニット集合２）に割り振る。
【００６０】
物理リソースユニット集合５０３における物理リソースユニットは、１物理リソースユニットを単位とし、アレイに置換を行って行と列を置換し、置換された物理リソースユニット集合５０４を得る。物理リソースユニット集合５０２から、４個の物理リソースユニットを単位とし、システム構成個数に対応する数のサブバンドを順に抽出し、各周波数パーティションにマッピングする。Ｐ0を抽出して第１の周波数パーティション５０５に割り振り、Ｐ3を抽出して第２の周波数パーティション５０６に割り振る。
【００６１】
第１の周波数パーティション５０５、第２の周波数パーティション５０６と第３の周波数パーティション５０７が、それぞれ１０、８、６個の物理リソースユニット５０１を含むので、１物理リソースユニットを単位とし、物理リソースユニット集合５０４から順に、６個の物理リソースユニット５０１を抽出し、第１の周波数パーティション５０５にマッピングし、４個の物理リソースユニット５０１を抽出し、第２の周波数パーティション５０６にマッピングし、６個の物理リソースユニット５０１を抽出し第３の周波数パーティション５０７にマッピングする。これにより、リソースをマッピングした後、第１の周波数パーティション５０５に含まれる物理リソースユニット５０１のユニット番号は順に１、２、３、４、５、９、１７、２１、６、１０である。第２の周波数パーティションに含まれる物理リソースユニット５０１のユニット番号は順に１３、１４、１５、１６、１８、２２、７、１１である。第３の周波数パーティション５０６に含まれる物理リソースユニット５０１のユニット番号は順に１９、２３、８、１２、２０、２４である。
【００６２】
図６は、本発明のサブキャリアの直接マッピングにおける物理リソースユニット群における物理リソースユニットを各周波数パーティションにマッピングするプロセスを示す図である。各周波数パーティションに含まれる物理リソースユニット数ｎｉと各周波数パーティションに含まれるＮ１個の連続する物理リソースユニットを単位とするサブバンド数ｐｉに基づいて、物理リソースユニット群からＮ１個の連続する物理リソースユニットを単位とする物理リソースユニット集合１を分割し、上記Ｎ１個の連続する物理リソースユニットを単位とするサブバンドはサブキャリアの直接マッピングに用いられる。ここで、ｎｉは、ｉ番目の周波数パーティションの物理リソースユニット数を表し、ｐｉは、ｉ番目の周波数パーティション内のＮ１個の連続する物理リソースユニットを単位とするサブバンド数を表す。各周波数パーティションに含まれる物理リソースユニット数に基づいて、物理リソースユニット群における物理リソースユニットを周波数パーティション数と同等の数となる幾つかの部分に分割する。各周波数パーティションに対応する物理リソースユニット部分において、開始ユニットから順に（Ｎ１×Ｐｉ）個の物理リソースユニットを抽出し、物理リソースユニット集合１に割り振る。
【００６３】
図６において、依然として帯域幅が５Ｍである場合を例とし、５Ｍの帯域幅に２４個の物理リソースユニット６０１が含まれ、システムは第１の周波数パーティション６０５と、第２の周波数パーティション６０６と、第３の周波数パーティション６０７との三つの周波数パーティションから構成され、その中、第１の周波数パーティション６０５と第２の周波数パーティション６０６に、４個の物理リソースユニットを単位とするサブバンドがそれぞれ一つ含まれ、第１の周波数パーティション６０５は１０個の物理リソースユニット６０１を、第２の周波数パーティション６０６は８個の物理リソースユニット６０１を、第３の周波数パーティション６０７は６個の物理リソースユニット６０１を含む。
【００６４】
第１の周波数パーティション６０５と、第２の周波数パーティション６０６と、第３の周波数パーティション６０７に含まれる物理リソースユニット数１０、８、６に基づいて、物理リソースユニット群における物理リソースユニットを周波数パーティション数に対応する三つの部分に分割すると、第１の周波数パーティション６０５は物理リソースユニット１〜１０に対応し、第２の周波数パーティション６０６は物理リソースユニット１１〜１８に対応し、第３の周波数パーティション６０７は物理リソースユニット１９〜２４に対応する。第１の周波数パーティション６０５に対応する物理リソースユニット部分において、開始ユニットからの４個の物理リソースユニットである１、２、３、４を物理リソースユニット集合１に割り振る。第２の周波数パーティション６０６に対応する物理リソースユニット部分において、開始ユニットからの４個の物理リソースユニットである１１、１２、１３，１４を物理リソースユニット集合１に割り振り、残りの物理リソースユニットを物理リソースユニット集合６０３（即ち、物理リソースユニット集合２）に割り振る。
【００６５】
物理リソースユニット集合６０３における物理リソースユニットを、１物理リソースユニットを単位とし、アレイに置換を行って行と列を置換した後、物理リソースユニット６０４を得て、物理リソースユニット集合６０２から順に４個の物理リソースユニットを抽出し、第１の周波数パーティション６０５に割り振り、４個の物理リソースユニットを抽出し、第２の周波数パーティション６０６に割り振る。
【００６６】
第１の周波数パーティション６０５と、第２の周波数パーティション６０６と、第３の周波数パーティション６０７がそれぞれ１０、８、６個の物理リソースユニット６０１を含むので、１物理リソースユニットを単位とし、物理リソースユニット集合６０４から６個の物理リソースユニット６０１を抽出し、第１の周波数パーティション６０５にマッピングし、４個の物理リソースユニット６０１を抽出し、第２の周波数パーティション６０６にマッピングし、その後、残りの６個の物理リソースユニット６０１を第３の周波数パーティション６０７にマッピングする。このようにリソースをマッピングした後、第１の周波数パーティション６０５に含まれる物理リソースユニット６０１のユニット番号は順に１、２、３、４、５、９、１７、２１、６、１０であって、第２の周波数パーティション６０６に含まれる物理リソースユニット６０１のユニット番号は順に１１、１２、１３、１４、１８、２２、７、１５であって、第３の周波数パーティション６０６に含まれる物理リソースユニット６０１の番号は順に１９、２３、８、１６、２０、２４である。
【００６７】
上述のように、本発明によると、集中式マッピング及び分散式マッピングに部分周波数の再利用技術を結合した二段階のサブキャリアマッピングでの外部マッピングを実現することができる。
【００６８】
本発明の実施例によると、コンピュータが読取り可能な媒体を提供し、当該媒体にはコンピュータが実行可能な命令が記憶され、当該命令をコンピュータ又はプロセッサにより実行する場合、コンピュータ又はプロセッサが図３に示すステップ３０１〜３０３の処理を行い、また、上記の各実施例を行うことが好ましい。
【００６９】
また、本発明はシステム構造及び既存のプロセスを変更させずに実現でき、簡単に普及することができ、産業化によく適している。
【００７０】
以上は、本発明の好適な実施例に過ぎず、本発明を限定するものではない。当業者であれば本発明に様々な修正や変形が可能である。本発明の精神や原則内で行う如何なる修正、同等置換、改良などは本発明の保護範囲内に含まれる。
【図１】
2012507890.tif 000009
【図３】
2012507890.tif 000010
【図４】
2012507890.tif 000011
【図５】
2012507890.tif 000012
【図６】
2012507890.tif 000013
【図２】
2012507890.tif 000014
【国際調査報告】
2012507890.tif 000015
2012507890.tif 000016
2012507890.tif 000017
2012507890.tif 000018